(57)【要約】      （修正有）【課題】取り扱い易くコンパクトなテープユニット及びテープカセットを提供する。【解決手段】柔軟なテストテープ（１２）と、未使用のテープ（１２）を繰出すための繰出しリール（１４）と、使用済みテープ（１２）を巻き取るための巻取りリール（１６）とを含む、双方のリール（１４、１６）間に位置するテープの自由領域（１８）がユーザの使用に供されるテープユニットにおいて、コンパクトな構造形態を達成するため、リールの一方（１４）は中央収容領域（２６）を周回包囲し、他方のリール（１６）は該収容領域（２６）内に配置されるように構成とする。【選択図】図１
2008194464.tif 000002
【特許請求の範囲】
【請求項１】
第１のリール（１４）から繰出されて第２のリール（１６）に巻取り可能であり、前記リール（１４、１６）間に位置するテープの自由領域（１８）がユーザの使用に供される、診断テストエレメント（２２）および／または穿刺エレメントを備えたテープ（１２）付きの、テープカセットなどの診断テープユニットであって、
前記リール（１４、１６）の一方は中央の収容領域（２６）を内包し、前記リール（１４、１６）の他方は該収容領域（２６）内に配置されていることを特徴とするテープユニット。
【請求項２】
前記双方のリール（１４、１６）は同一の高さで抱合配置されて、外側リールの端面が前記収容領域（２６）の軸方向限界を決定することを特徴とする請求項１記載のテープユニット。
【請求項３】
前記双方のリール（１４、１６）は１つのケーシング内に軸支されており、こうして形成されたテープカセットは診断器具用の消耗品として形成されていることを特徴とする請求項１または２記載のテープカセット。
【請求項４】
前記リール（１４、１６）の少なくとも一方は電動モータまたは手動による回転駆動可能なテープロール巻取り用の巻心を有することを特徴とする請求項１〜３のいずれか１項に記載のテープユニット。
【請求項５】
前記収容領域（２６）内にある内側リール（１４、１６）は外側包囲リール（１４、１６）に対して偏心または同心配置されていることを特徴とする請求項１〜４のいずれか１項に記載のテープユニット。
【請求項６】
前記収容領域において、好ましくは該領域の内部にあるリール（１６）の内側に、前記テープを走査する測定ユニット用の測定チャンバとして機能する空間が設けられていることを特徴とする請求項１〜５のいずれか１項に記載のテープユニット。
【請求項７】
前記テープの自由領域（１８）は偏向ガイド（４４、４６、４８）を介して端面側で外側リール（１４）を飛び越えるように案内されていることを特徴とする請求項１〜６のいずれか１項に記載のテープユニット。
【請求項８】
前記テープの自由領域（１８）は前記収容領域（２６）外に配置された第１の案内手段（４４）と前記収容領域（２６）内に配置された第２の案内手段（４６）とを介して案内されていることを特徴とする請求項１〜７のいずれか１項に記載のテープユニット。
【請求項９】
前記案内手段は好ましくは円錐台状の案内ローラ（４４、４６）によって形成されていることを特徴とする請求項８記載のテープユニット。
【請求項１０】
前記テープは少なくとも１つの案内箇所において、互いに異なった方向に延びる、好ましくは面取りされた２つの案内エッジを経て案内されていることを特徴とする請求項１〜９のいずれか１項に記載のテープユニット。
【請求項１１】
前記リール（１４、１６）の端面側（５２）に配置された、好ましくは滑り面（５０）またはシールによって形成された、前記テープ（１２）の通過構造体（４８）が設けられていることを特徴とする請求項１〜１０のいずれか１項に記載のテープユニット。
【請求項１２】
前記テープの自由領域（１８）は長手方向よじれによって端面側で外側リール（１４）の上を越えるように案内されている結果、該テープ領域（１８）は通過領域において前記リール（１４）の端面（５２）と平行に走ることを特徴とする請求項１〜１１のいずれか１項に記載のテープユニット。
【請求項１３】
前記テープ（１２）は領域ごとに分析テストゾーン（２２）を備えてなり、該テストゾーン（２２）には塗布箇所（２０）において連続的にテスト液とくに血液を塗布可能であることを特徴とする請求項１〜１２のいずれか１項に記載のテープユニット。
【請求項１４】
前記テープ（１２）によって搬送される穿刺エレメントを前記テープの自由領域（１８）の塗布箇所（２０）に配することができることを特徴とする請求項１〜１１のいずれか１項に記載のテープユニット。
【請求項１５】
未使用のテープによって形成された少なくとも前記第１のリール（１４）は好適には前記収容領域（２６）において周囲から遮蔽保護されていることを特徴とする請求項１〜１２のいずれか１項に記載のテープユニット。
【請求項１６】
テープユニット（１０）の少なくとも１つのリール（１４）は電動モータまたは手動によって回転駆動されるように構成した、前記請求項のいずれか１項に記載のテープユニットを備えた診断システム。
【発明の詳細な説明】
【技術分野】
【０００１】
本発明は、第１のリールから繰出されて第２のリールに巻取り可能であり、双方のリール間に位置するテープの自由領域がユーザの使用に供される、診断テストエレメントおよび／または穿刺エレメントを備えてなるテープ付きのテープユニット、より詳しくは、テープカセットに関する。
【背景技術】
【０００２】
本願出願人の先の出願である国際公開第２００４／０４７６４２号パンフレットにおいて、血中グルコーステストを実施するためのこの種のテープユニットを備えたテスト器具が知られている。該文献では、携帯式器具内の限定された構造スペースを最も効果的に利用するため、特に、側方に並置配備された同軸リールユニットが提案されている。ただしこの場合、前記器具の全高はテープ幅の２倍と中間壁の厚さとを加算することによって決定される。
【発明の開示】
【発明が解決しようとする課題】
【０００３】
叙上の背景技術に鑑みて、本発明の目的は、従来の技術において公知のシステムをさらに発展させて、冒頭に述べた類のテープユニットを、特に器具システムを取り扱い易くするコンパクトな構造を用いて最適化することである。
【課題を解決するための手段】
【０００４】
前記課題は請求項１記載の組み合せにより解決される。本発明の有利な実施態様および変形例は従属請求項に記載した通りである。
【０００５】
本発明は前記リールをフラットに抱合配置するという技術的思想に基づいている。したがって、本発明によれば、前記リールの一方は中央収容領域を内包し、他方のリールは該収容領域の内部に配置されるように構成することが提案される。こうして、さらなる小形化と、特に省スペース的なフラットな構造形態とを達成することができる。これによって、前記テープ上に配置されて搬送される一連のエレメント間の間隔を短縮すると共に、それによって最終的に前記テープの全長も短縮することが可能である。
【０００６】
全高をできるだけ低くするには、前記双方のリールが同一の高さで抱合配置されて、外側リールの端面が前記収容領域の軸方向限界を決定するのが有利である。
【０００７】
ユーザにとっての取り扱い易さを向上させるには、前記双方のリールが１つのケーシング内に軸支されていると共に、こうして形成された前記テープカセットが診断器具用の消耗品として形成されているのが有利である。また、前記リールの少なくとも一方が電動モータまたは手動によって回転駆動されるテープロール巻取り用の巻心を有することにより、さらなる改善を達成することができる。
【０００８】
前記テープの案内を容易にするには、前記収容領域内にある内側リールが外側包囲リールに対して偏心または同心配置されて、双方のリール軸が離間して互いに平行に延びているかまたは双方のリール軸が１つに重なり合っているのが有利である。
【０００９】
診断器具内への装入には、前記収容領域において、好ましくは該領域の内部にあるリールの内側に、前記テープを好適には光学走査する測定ユニット用の測定チャンバとして機能する空間が設けられていれば有利である。
【００１０】
本発明のさらに別途の有利な実施態様において、前記テープ自由領域は偏向ガイドを介して端面側で外側リールを飛び越えるように案内されることにより、外側／内側リール間のテープ送りを可能にする。好ましい実施形態において、前記テープの自由領域は前記収容領域外に配置された第１の案内手段と前記収容領域内に配置された第２の案内手段とを介して案内されている。
【００１１】
前記テープの長手方向よじれを可能にするため、前記案内手段は好ましくは円錐台状の案内ローラによって形成されているのが有利である。テープ送り方向の変化は有利には、前記テープが少なくとも１つの案内箇所において、互いに異なった方向に延びる、好ましくは面取りされた２つの案内エッジを経て案内されることによっても実現することができる。
【００１２】
さらなる改善は、前記偏向ガイドが前記リールの端面側に配置された、好ましくは滑り面またはシールによって形成された、前記テープの通過構造体を有することによって達成される。
【００１３】
できるだけフラットな構造形態を実現するために、さらに、前記テープの自由領域が長手方向よじれによって端面側で前記外側リールの上を越えるように案内されて、該テープ領域が通過領域において該外側リールの端面と平行に走っているのが有利である。
【００１４】
診断分野における好ましい使用目的は、前記テープが領域ごとに分析テストゾーンを備え、該テストゾーンに塗布箇所において連続的にテスト液とくに体液たとえば血液を塗布可能であることである。
【００１５】
別法としてまたは前記を補完して、前記テープによって搬送される穿刺エレメントを前記テープの自由領域の塗布箇所に配することも可能である。これにより、多数の血糖テスト用のマガジンシステムを実現することができる。
【００１６】
耐用性をできるだけ長く保つため、未使用のテープによって形成された前記第１のリールは好適には前記収容領域において周囲から、特に湿気の侵入に対して、遮蔽保護されているのが有利である。
【００１７】
前記テープでマガジンフィードされるエレメントを順次に使用に供するためにテープユニットの少なくとも１つのリールが電動機または人力によって回転駆動されるように構成した前記テープユニットを備えた診断システムも本発明の対象である。
【発明を実施するための最良の形態】
【００１８】
以下、添付図面によって一連の実施例を参照して本発明を詳細に説明する。
【００１９】
図面に示した診断用テープカセット１０は、柔軟なテストテープ１２と、未使用のテストテープを繰出すための繰出しリール１４と、使用済みテストテープを巻き取るための巻取りリール１６とを含んでなり、その時々に双方のリール１４、１６間に位置するテープの自由領域１８が塗布箇所（矢印２０）においてユーザの使用に供される。これは、検体（グルコース）を検出するために、領域ごとにテストテープ１２上に配置された分析テストゾーン２２にテスト液たとえば血液が塗布されることによって行われる。この種のテープカセット１０は図示されていない携帯式器具内にテストシステムとして装入可能であり、テストゾーン２２は巻取りリール１６と連結される回転駆動装置によるテープ巻取りによって連続的に使用に供されるのが好適である。
【００２０】
図１、３からわかるように、リング状内周面２４を有する繰出しリール１４は、コンパクトな構造を実現するため、巻取りリール１６が配置される中央の収容領域２６を内包している。したがって、リール１４、１６およびテストテープ１２からなるテープロール２８、３０は同一の面または同一の高さで抱合配置されている。この場合、図示された実施態様において、繰出しリール１４のリール直径３２は巻取りリール１６のリール直径３４よりも何倍も大きいために、テープ巻取りによって徐々に増大するテープロール３０にとっても十分大きな収容領域２６が供されている（図３）。巻取りリール１６は繰出しリール１４内に偏心配置され、当該リール軸３６、３８は離間して互いに平行に延びているのが好適である。
【００２１】
テープの自由領域１８はカセットケーシング４０内で３つの偏向ローラ４２、４４、４６を経て案内されている。図２に示されるように、２つの偏向ローラ４４、４６は通過手段４８と共に偏向ガイドとして、テープの自由領域１８が平坦な姿勢で外側テープロール２８の上を越えるように案内する。そのため、案内ローラ４４、４６はテーパ状に形成されており、これによって、通過手段４８の滑り面５０の頂点でテストテープ１２の９０°のテープねじれまたは長手方向よじれが達成される。これにより、テープは上側よじれ領域においてリール軸３６、３８に対して垂直にかつリール１４の通過側の端面５２と平行に走ることになる。また、この領域に塗布箇所２０として開口を設けることも考えることができる。テストテープ１２は、テストゾーン２２に代えて、塗布箇所での滴着を可能にする図示されていない穿刺エレメントを有していてもよい。また、穿刺エレメントとテストエレメントとを組み合わせてテープ上に配置して、血糖検査の流れ（穿刺、測定）をさらに簡易化することも可能である。
【００２２】
以下に述べる実施例において、同等な部品には前記と同じ符号が付されている。図４はドーナツに類似した特にコンパクトな構造を示している。個々の部品は図５から最もよく理解することができる。ここで、リール１４、１６はリング状の筐体４０内に互いに同心配置されている。この場合、テープロール２８のみからなる内側リール１４は未使用部分を形成し、他方、外側リール１６は使用済みテープの巻取り用に設けられている。そのため、巻取りリール１６は、端面側の歯付きリング５８を経て回転駆動可能な巻心５６を有している。この場合、テープの自由領域１８としてのテストテープ１２は半径方向に誘導される。
【００２３】
偏向ガイドは、筐体４０に形成された第１の案内手段４４、乾燥材から形成された筐体挿入体６０に一体成形された第２の案内手段４６ならびに、シールリング６２を含んでいる。蓋６４は筐体の底６６に対向する収容領域２６の防湿カバーとして機能する。この場合にも、外側テープロール３０の端面によって形成される面が収容領域２６の軸方向限界を決定するため、テープロール２８、３０はまたも互いに同じ高さで抱合配置されている。端面側のテープ案内を可能にするため、案内手段４４、４６はそれぞれ２つの、互いに鋭角をなして延びる、面取りされた偏向エッジ６８を有しており、テストテープ１２は該エッジを介してそれぞれその時々の搬送方向から９０°偏向されることができる。こうして、テストテープ１２はテープロール２８、３０に対して接線方向に繰出しないし巻取りされることができる一方で、外側リール１６を介して該リールの半径方向への誘導が行なわれる。
【００２４】
テストテープ１２上に配置されたテストゾーン２２を光学的に走査もしくは検出し得るようにするため、ケーシング４０内には測定チャンバ７０として機能する空間が設けられており、カセット１０の装入時に同所に図示されていない器具側測定ユニットが嵌合する。
【００２５】
図６、７は類似のテープ内テープ配置方式を示しており、この場合、未使用のテストテープ１２は内側リール１４のテープロール２８の内部から繰出される。テープ案内のため、同じく、互いに鋭角をなして延びる偏向エッジ６８を備えた案内手段４４、４６が設けられている。収容領域２６の端面側は図７にのみ示されたカバー６４によって密閉されており、テープ１２はシール６２を経て該カバーを貫通して案内されている。
【図面の簡単な説明】
【００２６】
【図１】抱合配置された２つのリールを備えた診断用テープカセットの平面図である。
【図２】図１に示したテープカセットの側面図である。
【図３】巻き取られたテープカセットを示す、図１と同じ平面図である。
【図４】さらに別の実施形態によるコンパクトなテープカセットの軸方向断面斜視図である。
【図５】図４に示したカセット部品の解体図である。
【図６】抱合配置された２つのリールを備えたさらに別の実施形態によるテープカセットの平面図である。
【図７】抱合配置された２つのリールを備えた前記実施形態によるテープカセットの斜視図である。
【符号の説明】
【００２７】
１０        テープカセット
１２        テープ
１４、１６  リール
１８        自由領域
２６        収容領域
４４、４６  偏向ローラ（案内手段）
４８        通過手段（案内手段）
５２        端面（前側）
【図１】
2008194464.tif 000003
【図２】
2008194464.tif 000004
【図３】
2008194464.tif 000005
【図４】
2008194464.tif 000006
【図５】
2008194464.tif 000007
【図６】
2008194464.tif 000008
【図７】
2008194464.tif 000009
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
第１のリール（１４）から繰出されて第２のリール（１６）に巻取り可能であり、前記リール（１４、１６）間に位置するテープの自由領域（１８）がユーザの使用に供される、診断テストエレメント（２２）および／または穿刺エレメントを備えたテープ（１２）付きの、テープカセットなどの診断テープユニットであって、
前記リール（１４、１６）の一方は中央の収容領域（２６）を内包し、前記リール（１４、１６）の他方は該収容領域（２６）内に配置されていることを特徴とするテープユニット。
【請求項２】
前記双方のリール（１４、１６）は同一の高さで抱合配置されて、外側リールの端面が前記収容領域（２６）の軸方向限界を決定することを特徴とする請求項１記載のテープユニット。
【請求項３】
前記双方のリール（１４、１６）は１つのケーシング内に軸支されており、こうして形成されたテープカセットは診断器具用の消耗品として形成されていることを特徴とする請求項１または２記載のテープカセット。
【請求項４】
前記テープの自由領域（１８）は偏向ガイド（４４、４６、４８）を介して端面側で外側リール（１４）を飛び越えるように案内されていることを特徴とする請求項１〜３のいずれか１項に記載のテープユニット。
【請求項５】
前記テープの自由領域（１８）は前記収容領域（２６）外に配置された第１の案内手段（４４）と前記収容領域（２６）内に配置された第２の案内手段（４６）とを介して案内されていることを特徴とする請求項１〜４のいずれか１項に記載のテープユニット。
【請求項６】
前記リール（１４、１６）の端面側（５２）に配置された、好ましくは滑り面（５０）またはシールによって形成された、前記テープ（１２）の通過構造体（４８）が設けられていることを特徴とする請求項１〜５のいずれか１項に記載のテープユニット。
【請求項７】
前記テープの自由領域（１８）は長手方向よじれによって端面側で外側リール（１４）の上を越えるように案内されている結果、該テープ領域（１８）は通過領域において前記リール（１４）の端面（５２）と平行に走ることを特徴とする請求項１〜６のいずれか１項に記載のテープユニット。
【請求項８】
前記テープ（１２）は領域ごとに分析テストゾーン（２２）を備えてなり、該テストゾーン（２２）には塗布箇所（２０）において連続的にテスト液とくに血液を塗布可能であることを特徴とする請求項１〜７のいずれか１項に記載のテープユニット。
【請求項９】
未使用のテープによって形成された少なくとも前記第１のリール（１４）は好適には前記収容領域（２６）において周囲から遮蔽保護されていることを特徴とする請求項１〜７のいずれか１項に記載のテープユニット。
【請求項１０】
テープユニット（１０）の少なくとも１つのリール（１４）は電動モータまたは手動によって回転駆動されるように構成した、前記請求項のいずれか１項に記載のテープユニットを備えた診断システム。
【外国語明細書】
2008194464000001.pdf
2008194464000002.pdf
2008194464000003.pdf
2008194464000004.pdf